(57)【要約】【課題】クリアリングリミットを容易に且つ適切に設定することができるクリアリングリミット設定装置及び糸巻取機を提供する。【解決手段】機台制御装置は、二次元フィールド５１にクリアリングリミット５２を表示するタッチパネルと、クリアリングリミット５２が通る複数の第１設定点（例えば、複数の設定点ＮＳＬ１〜ＮＳＬ６，Ｔ１〜Ｔ４）のうち少なくとも１つの第１設定点が選択され、選択された少なくとも１つの第１設定点の移動先として少なくとも１つの第２設定点（例えば、複数の設定点ＮＳＬ２〜ＮＳＬ４）が入力された場合に、選択された少なくとも１つの第１設定点に替えて、入力された少なくとも１つの第２設定点を通るように、クリアリングリミット５２を生成し、生成したクリアリングリミット５２をタッチパネルに表示させる処理部と、を備える。【選択図】図６
2019137537.tif 000002
【特許請求の範囲】
【請求項１】
糸欠陥の長さ及び太さのそれぞれを座標軸とする二次元フィールドに、前記糸欠陥を除去するか否かを示す境界線であるクリアリングリミットを表示する表示部と、
前記クリアリングリミットが通る複数の第１設定点のうち少なくとも１つの前記第１設定点が選択され、選択された少なくとも１つの前記第１設定点の移動先として少なくとも１つの第２設定点が入力された場合に、選択された少なくとも１つの前記第１設定点に替えて、入力された少なくとも１つの前記第２設定点を通るように、前記クリアリングリミットを生成し、生成した前記クリアリングリミットを前記表示部に表示させる処理部と、を備える、クリアリングリミット設定装置。
【請求項２】
前記処理部は、複数の前記第１設定点、及び複数の前記第１設定点を通る前記クリアリングリミット、並びに、少なくとも１つの前記第２設定点、及び少なくとも１つの前記第２設定点を通る前記クリアリングリミットを前記表示部に表示させる、請求項１に記載のクリアリングリミット設定装置。
【請求項３】
少なくとも１つの前記第１設定点の選択を受け付ける第１入力部と、
少なくとも１つの前記第２設定点の入力を受け付ける第２入力部と、を更に備える、請求項１又は２に記載のクリアリングリミット設定装置。
【請求項４】
前記第１入力部は、前記表示部が表示している前記二次元フィールドである、請求項３に記載のクリアリングリミット設定装置。
【請求項５】
前記表示部は、複数の前記第１設定点にそれぞれ対応する複数のボタンを表示し、
前記第１入力部は、前記表示部が表示している複数の前記ボタンである、請求項３又は４に記載のクリアリングリミット設定装置。
【請求項６】
前記表示部は、複数の移動方向を示し且つ前記移動方向の選択を受け付ける移動方向指示ボタンを有する操作部を表示し、
前記第２入力部は、前記表示部が表示している前記操作部である、請求項３〜５のいずれか一項に記載のクリアリングリミット設定装置。
【請求項７】
複数の前記第１設定点を通る前記クリアリングリミットを前記表示部が表示している場合に、少なくとも１つの第３設定点の追加を受け付ける第３入力部を更に備え、
前記処理部は、複数の前記第１設定点、及び前記第３入力部を介して追加された少なくとも１つの前記第３設定点を通るように、前記クリアリングリミットを生成し、生成した前記クリアリングリミットを前記表示部に表示させる、請求項１〜６のいずれか一項に記載のクリアリングリミット設定装置。
【請求項８】
前記第３入力部は、前記表示部が表示している前記二次元フィールドである、請求項７に記載のクリアリングリミット設定装置。
【請求項９】
複数の前記第１設定点を通る前記クリアリングリミットを前記表示部が表示している場合に、少なくとも１つの第１設定点の削除を受け付ける第４入力部を更に備え、
前記処理部は、前記第４入力部を介して削除された少なくとも１つの前記第１設定点を除く前記第１設定点を通るように、前記クリアリングリミットを生成し、生成した前記クリアリングリミットを前記表示部に表示させる、請求項１〜８のいずれか一項に記載のクリアリングリミット設定装置。
【請求項１０】
前記第４入力部は、前記表示部が表示している前記二次元フィールドである、請求項９に記載のクリアリングリミット設定装置。
【請求項１１】
前記表示部は、複数の前記第１設定点にそれぞれ対応する複数のボタンを表示し、
前記第４入力部は、前記表示部が表示している複数の前記ボタンである、請求項９又は１０に記載のクリアリングリミット設定装置。
【請求項１２】
複数の前記糸欠陥のそれぞれについて前記糸欠陥の長さ及び太さを示す糸欠陥データを記憶する記憶部を更に備え、
前記処理部は、現在設定されている前記クリアリングリミットに対して新たに前記クリアリングリミットを生成した場合に、前記糸欠陥データ、及び現在設定されている前記クリアリングリミットに基づいて、第１糸処理結果を算出すると共に、前記糸欠陥データ、及び新たに生成した前記クリアリングリミットに基づいて、第２糸処理結果を算出し、算出した前記第１糸処理結果及び前記第２糸処理結果を前記表示部に表示させる、請求項１〜１１のいずれか一項に記載のクリアリングリミット設定装置。
【請求項１３】
複数の前記糸欠陥のそれぞれについて前記糸欠陥の長さ及び太さを示す糸欠陥データを記憶する記憶部を更に備え、
前記処理部は、前記糸欠陥データに基づいてガイドラインを生成し、複数の前記糸欠陥に対応するドットと共に、生成した前記ガイドラインを前記表示部に表示させる、請求項１〜１２のいずれか一項に記載のクリアリングリミット設定装置。
【請求項１４】
糸を供給する給糸部と、
前記糸を巻き取ってパッケージを形成する巻取部と、
前記給糸部と前記巻取部との間において前記糸を監視し、前記糸欠陥を検出する糸監視部と、
前記糸監視部によって検出された糸欠陥を除去するために糸が切断された場合に、前記給糸部側の糸と前記巻取部側の糸とを継ぐ糸継動作を行う糸継部と、
請求項１〜１３のいずれか一項記載のクリアリングリミット設定装置と、を備える、糸巻取機。
【発明の詳細な説明】
【技術分野】
【０００１】
本発明は、クリアリングリミット設定装置及び糸巻取機に関する。
【背景技術】
【０００２】
例えば糸巻取機の制御装置は、糸欠陥の長さ及び太さのそれぞれを座標軸とする二次元フィールドに、糸欠陥を除去するか否かを示す境界線であるクリアリングリミットを表示する機能を有している場合がある（例えば、特許文献１参照）。
【先行技術文献】
【特許文献】
【０００３】
【特許文献１】特許５６８０６５３号
【発明の概要】
【発明が解決しようとする課題】
【０００４】
クリアリングリミットを設定する場合、クリアリングリミットが通る点の座標（すなわち、糸欠陥の長さ及び太さ）を数値として入力することが行われている。しかし、クリアリングリミットが想定した形状にならず、何度も数値を入力し直すことになる場合がある。
【０００５】
そこで、本発明は、クリアリングリミットを容易に且つ適切に設定することができるクリアリングリミット設定装置及び糸巻取機を提供することを目的とする。
【課題を解決するための手段】
【０００６】
本発明のクリアリングリミット設定装置は、糸欠陥の長さ及び太さのそれぞれを座標軸とする二次元フィールドに、糸欠陥を除去するか否かを示す境界線であるクリアリングリミットを表示する表示部と、クリアリングリミットが通る複数の第１設定点のうち少なくとも１つの第１設定点が選択され、選択された少なくとも１つの第１設定点の移動先として少なくとも１つの第２設定点が入力された場合に、選択された少なくとも１つの第１設定点に替えて、入力された少なくとも１つの第２設定点を通るように、クリアリングリミットを生成し、生成したクリアリングリミットを表示部に表示させる処理部と、を備える。
【０００７】
このクリアリングリミット設定装置では、クリアリングリミットが通る複数の第１設定点のうち少なくとも１つの第１設定点を選択し、選択した少なくとも１つの第１設定点の移動先として少なくとも１つの第２設定点を入力することで、入力された少なくとも１つの第２設定点を通るクリアリングリミットを生成することが可能である。よって、このクリアリングリミット設定装置によれば、クリアリングリミットを容易に且つ適切に設定することができる。
【０００８】
本発明のクリアリングリミット設定装置では、処理部は、複数の第１設定点、及び複数の第１設定点を通るクリアリングリミット、並びに、少なくとも１つの第２設定点、及び少なくとも１つの第２設定点を通るクリアリングリミットを表示部に表示させてもよい。これにより、オペレータは、クリアリングリミットの生成の基礎となっている第１設定点及び第２設定点を容易に把握することができる。
【０００９】
本発明のクリアリングリミット設定装置は、少なくとも１つの第１設定点の選択を受け付ける第１入力部と、少なくとも１つの第２設定点の入力を受け付ける第２入力部と、を更に備えてもよい。これにより、オペレータは、クリアリングリミットをより容易に且つより適切に設定することができる。
【００１０】
本発明のクリアリングリミット設定装置では、第１入力部は、表示部が表示している二次元フィールドであってもよい。これにより、オペレータは、変更すべき第１設定点を容易に選択することができる。
【００１１】
本発明のクリアリングリミット設定装置では、表示部は、複数の第１設定点にそれぞれ対応する複数のボタンを表示し、第１入力部は、表示部が表示している複数のボタンであってもよい。これにより、オペレータは、例えばクリアリングリミットが細かく表示されている部分についても、変更すべき第１設定点を容易に選択することができる。
【００１２】
本発明のクリアリングリミット設定装置では、表示部は、複数の移動方向を示し且つ移動方向の選択を受け付ける移動方向指示ボタンを有する操作部を表示し、第２入力部は、表示部が表示している操作部であってもよい。これにより、オペレータは、変更すべき第１設定点に対する第２設定点の移動方向を直観的に把握して操作部を操作することができる。
【００１３】
本発明のクリアリングリミット設定装置は、複数の第１設定点を通るクリアリングリミットを表示部が表示している場合に、少なくとも１つの第３設定点の追加を受け付ける第３入力部を更に備え、処理部は、複数の第１設定点、及び第３入力部を介して追加された少なくとも１つの第３設定点を通るように、クリアリングリミットを生成し、生成したクリアリングリミットを表示部に表示させてもよい。これにより、オペレータは、クリアリングリミットを部分的に変更することができる。
【００１４】
本発明のクリアリングリミット設定装置では、第３入力部は、表示部が表示している二次元フィールドであってもよい。これにより、オペレータは、追加すべき第３設定点を容易に入力することができる。
【００１５】
本発明のクリアリングリミット設定装置は、複数の第１設定点を通るクリアリングリミットを表示部が表示している場合に、少なくとも１つの第１設定点の削除を受け付ける第４入力部を更に備え、処理部は、第４入力部を介して削除された少なくとも１つの第１設定点を除く第１設定点を通るように、クリアリングリミットを生成し、生成したクリアリングリミットを表示部に表示させてもよい。これにより、オペレータは、クリアリングリミットを部分的に変更することができる。
【００１６】
本発明のクリアリングリミット設定装置では、第４入力部は、表示部が表示している二次元フィールドであってもよい。これにより、オペレータは、削除すべき第１設定点を容易に選択することができる。
【００１７】
本発明のクリアリングリミット設定装置では、表示部は、複数の第１設定点にそれぞれ対応する複数のボタンを表示し、第４入力部は、表示部が表示している複数のボタンであってもよい。これにより、オペレータは、例えばクリアリングリミットが細かく表示されている部分についても、削除すべき第１設定点を容易に選択することができる。
【００１８】
本発明のクリアリングリミット設定装置は、複数の糸欠陥のそれぞれについて糸欠陥の長さ及び太さを示す糸欠陥データを記憶する記憶部を更に備え、処理部は、現在設定されているクリアリングリミットに対して新たにクリアリングリミットを生成した場合に、糸欠陥データ、及び現在設定されているクリアリングリミットに基づいて、第１糸処理結果を算出すると共に、糸欠陥データ、及び新たに生成したクリアリングリミットに基づいて、第２糸処理結果を算出し、算出した第１糸処理結果及び第２糸処理結果を表示部に表示させてもよい。これにより、オペレータは、第１糸処理結果と第２糸処理結果とを比較して、現在設定されているクリアリングリミット、及び新たに生成したクリアリングリミットのそれぞれを評価することができる。
【００１９】
本発明のクリアリングリミット設定装置は、複数の糸欠陥のそれぞれについて糸欠陥の長さ及び太さを示す糸欠陥データを記憶する記憶部を更に備え、処理部は、糸欠陥データに基づいてガイドラインを生成し、複数の糸欠陥に対応するドットと共に、生成したガイドラインを表示部に表示させてもよい。これにより、オペレータは、ガイドラインを参照しつつ、二次元フィールドをタッチして第１設定点を入力することができる。
【００２０】
本発明の糸巻取機は、糸を供給する給糸部と、糸を巻き取ってパッケージを形成する巻取部と、給糸部と巻取部との間において糸を監視し、糸欠陥を検出する糸監視部と、糸監視部によって検出された糸欠陥を除去するために糸が切断された場合に、給糸部側の糸と巻取部側の糸とを継ぐ糸継動作を行う糸継部と、上述したクリアリングリミット設定装置と、を備える。
【００２１】
この糸巻取機は、上述したクリアリングリミット設定装置を備えているので、糸欠陥の除去を適切に実施することができる。
【発明の効果】
【００２２】
本発明によれば、クリアリングリミットを容易に且つ適切に設定することができるクリアリングリミット設定装置及び糸巻取機を提供することが可能となる。
【図面の簡単な説明】
【００２３】
【図１】一実施形態の糸巻取機の構成を示すブロック図である。
【図２】図１の糸巻取ユニットの構成を示すブロック図である。
【図３】図１の機台制御装置の構成を示すブロック図である。
【図４】図１のタッチパネルの画面の一例を示す図である。
【図５】図１のタッチパネルの画面の一例を示す図である。
【図６】図１のタッチパネルの画面の一例を示す図である。
【図７】図１のタッチパネルの画面の一例を示す図である。
【図８】クリアリングリミットの生成の一例を示す図である。
【図９】クリアリングリミットの生成の一例を示す図である。
【図１０】クリアリングリミットの生成の一例を示す図である。
【図１１】クリアリングリミットの生成の一例を示す図である。
【図１２】クリアリングリミットの生成の一例を示す図である。
【図１３】クリアリングリミットにおける設定点の選択の一例を示す図である。
【図１４】クリアリングリミットにおける設定点の選択の一例を示す図である。
【図１５】クリアリングリミットにおける設定点の削除の一例を示す図である。
【発明を実施するための形態】
【００２４】
以下、本発明の実施形態について、図面を参照して詳細に説明する。なお、各図において同一又は相当部分には同一符号を付し、重複する説明を省略する。
【００２５】
図１に示されるように、糸巻取機１は、複数の糸巻取ユニット２と、複数のユニット制御装置３と、機台制御装置（クリアリングリミット設定装置）４と、を備えている。糸巻取機１は、例えば、自動ワインダ、空気紡績機、オープンエンド紡績機、リング紡績機等である。各糸巻取ユニット２は、糸を巻き取ってパッケージを形成する。各ユニット制御装置３は、複数の糸巻取ユニット２ごとに設けられており、管理下にある複数の糸巻取ユニット２の動作を制御する。機台制御装置４は、各ユニット制御装置３と通信し、糸巻取機１の動作を制御する。なお、各ユニット制御装置３は、１つの糸巻取ユニット２ごとに設けられていてもよい。
【００２６】
図２に示されるように、各糸巻取ユニット２は、給糸部２１と、糸監視部２２と、糸継部２３と、巻取部２４と、を備えている。糸巻取機１が自動ワインダである場合には、各糸巻取ユニット２に、糸にテンションを付与するテンション付与装置、糸のテンションを測定するテンションセンサ等が設けられていてもよい。糸巻取機１が空気紡績機である場合には、各糸巻取ユニット２に、糸のテンションを測定するテンションセンサ、糸を貯留する糸貯留装置、糸にワックスを付与するワキシング装置等が設けられていてもよい。
【００２７】
給糸部２１は、糸を供給する。糸巻取機１が自動ワインダである場合には、給糸部２１は、給糸ボビンを支持するボビン支持装置等によって構成されている。糸巻取機１が空気紡績機である場合には、給糸部２１は、繊維束をドラフトするドラフト装置、及びドラフトされた繊維束に旋回空気流によって撚りを与えて糸を生成する空気紡績装置等によって構成されている。
【００２８】
糸監視部２２は、給糸部２１と巻取部２４との間において糸を監視し、糸欠陥を検出する。糸監視部２２は、検出装置２２ａ及び制御装置２２ｂによって構成されている。検出装置２２ａは、糸に光を照射して受光量の変化によって糸の太さの時間的な変化を検出する光学式センサ、又は電界中に糸を通過させて静電容量の変化によって糸の太さの時間的な変化を検出する静電容量式センサ等である。検出装置２２ａは、糸の太さの時間的な変化を示す波形データを制御装置２２ｂに出力する。制御装置２２ｂは、波形データに基づいて、糸に含まれる複数の糸欠陥のそれぞれについて、糸欠陥の長さ及び太さを示す糸欠陥データを算出し、当該糸欠陥データをユニット制御装置３に出力する。ユニット制御装置３が糸欠陥データに基づいて糸欠陥を除去すべきと判断した場合には、例えば糸巻取ユニット２に設けられたカッタによって糸が切断される。糸巻取機１が空気紡績機である場合には、空気紡績装置による糸の生成が中断されることで糸が切断されてもよい。なお、糸監視部２２は、糸に含まれる異物、糸切れ等を検出することもできる。また、制御装置２２ｂが糸欠陥データに基づいて糸欠陥を除去すべきか否かを判断し、糸監視部２２に設けられたカッタが糸を切断してもよい。
【００２９】
糸継部２３は、糸監視部２２によって検出された糸欠陥を除去するために糸が切断されたり、糸監視部２２によって糸切れが検出されたりした場合に、給糸部２１側の糸と巻取部２４側の糸とを継ぐ糸継動作を行う。糸継部２３は、第１糸捕捉案内装置、第２糸捕捉案内装置及び糸継部等によって構成されている。第１糸捕捉案内装置は、吸引作用によって給糸部２１側の糸を捕捉して糸継部に案内する。第２糸捕捉案内装置は、吸引作用によって巻取部２４側の糸を捕捉して糸継部に案内する。糸継部は、圧縮空気を用いるスプライサ、種糸を用いるピーサー、又は糸を機械的に継ぐノッター等であり、案内された糸同士を継ぐ。なお、糸巻取機１が例えば紡績機である場合には、糸継部２３は、複数の糸巻取ユニット２に対して走行可能な糸継台車として構成されていてもよい。
【００３０】
巻取部２４は、糸をボビンに巻き取ってパッケージを形成する。巻取部２４は、クレードルアーム、巻取ドラム及びトラバース機構等によって構成されている。クレードルアームは、パッケージを回転可能に支持する。巻取ドラムは、クレードルアームに支持されたパッケージの表面に接触してパッケージを回転させる。トラバース機構は、回転するパッケージに対して糸を所定幅でトラバースする。なお、モータがパッケージを直接的に回転駆動させる場合、巻取ドラムがトラバース溝を有する場合等がある。
【００３１】
図３に示されるように、機台制御装置４は、タッチパネル（表示部）４１と、処理部４２と、記憶部４３と、を備えている。タッチパネル４１は、オペレータに各種情報を表示したり、オペレータによる各種情報の入力を受け付けたりする。処理部４２は、各糸巻取ユニット２の糸監視部２２から出力された糸欠陥データを取得する。処理部４２は、取得した糸欠陥データを、各糸欠陥を除去したか又は残存させたかの情報と対応付けて糸巻取ユニット２ごとに記憶部４３に記憶させる。なお、処理部４２及び記憶部４３は、物理的には、ＣＰＵ（Central  Processing  Unit）、ＲＯＭ（Read  Only  Memory）及びＲＡＭ（Random  Access  Memory）等によって構成されている。
【００３２】
処理部４２は、クリアリングリミットを生成し、二次元フィールド及びクリアリングリミットをタッチパネル４１に表示させる。図４〜図７は、タッチパネル４１の画面の一例を示す図である。図４〜図７に示されるように、二次元フィールド５１は、糸欠陥の長さ及び太さのそれぞれを座標軸とする座標系である。ここでは、糸欠陥の長さが横軸とされ、糸欠陥の太さ（糸の基準太さに対する割合）が縦軸とされている。クリアリングリミット５２は、二次元フィールド５１において糸欠陥を除去するか否かを示す境界線である。ここでは、糸欠陥の種類であるネップＮ、スラブＳ及びロングＬに対応するクリアリングリミット５２ａ、並びに糸欠陥の種類であるシンＴに対応するクリアリングリミット５２ｂが設定されている。処理部４２は、クリアリングリミット５２に対して糸の基準太さ側（糸欠陥の太さが０％の横軸側）の領域内の値を有する糸欠陥が残存対象となり、クリアリングリミット５２に対して糸の基準太さ側とは反対側の領域内の値を有する糸欠陥が除去対象となるように、各ユニット制御装置３に各糸巻取ユニット２の動作を制御させる。
【００３３】
処理部４２は、記憶部４３に記憶された糸欠陥データに基づいて、二次元フィールド５１における糸欠陥の位置を決定し、タッチパネル４１に糸欠陥をドットとして表示させる。ここでは、処理部４２は、糸に残存させた糸欠陥を白抜きの丸ドットとして二次元フィールド５１に表示させ、糸から除去した糸欠陥を黒塗りの四角ドットとして二次元フィールド５１に表示させる。なお、糸欠陥を示すドットは、現在から過去の所定個数分だけタッチパネル４１に表示される。
【００３４】
処理部４２は、現在設定値欄５３をタッチパネル４１に表示させる。現在設定値欄５３には、現在のクリアリングリミット５２（現在設定されているクリアリングリミット５２）の設定情報が表示される。ここでは、現在設定値欄５３には、現在のクリアリングリミット５２ａ上に位置する複数の設定点ＮＳＬ１〜ＮＳＬ６のそれぞれの座標（すなわち、糸欠陥の長さ及び太さ）が表示される。
【００３５】
処理部４２は、シミュレーション設定値欄５４をタッチパネル４１に表示させる。シミュレーション設定値欄５４には、暫定のクリアリングリミット５２（新たに生成するクリアリングリミット５２）の設定情報が表示される（詳細については後述する）。ここでは、シミュレーション設定値欄５４には、暫定のクリアリングリミット５２ａ上に位置する複数の設定点ＮＳＬ１〜ＮＳＬ６のそれぞれの座標（すなわち、糸欠陥の長さ及び太さ）が表示される。
【００３６】
現在設定値欄５３及びシミュレーション設定値欄５４において、左端の各設定点ＮＳＬ１〜ＮＳＬ６を示す部分は、ボタン５５として構成されている。このように、処理部４２は、複数の設定点ＮＳＬ１〜ＮＳＬ６にそれぞれ対応する複数のボタン５５をタッチパネル４１に表示させる。なお、現在設定値欄５３及びシミュレーション設定値欄５４の表示は、クリアリングリミット５２ｂ上に位置する複数の設定点Ｔ１〜Ｔ４のそれぞれの座標が表示されるように切り替え可能である。その場合、処理部４２は、複数の設定点Ｔ１〜Ｔ４にそれぞれ対応する複数のボタン５５をタッチパネル４１に表示させる。
【００３７】
処理部４２は、現在結果欄５６をタッチパネル４１に表示させる。現在結果欄５６には、現在のクリアリングリミット５２における糸処理結果として、糸欠陥の除去数（ｎ）、及びそれを単位長さ（ここでは、１００ｋｍ）当たりに換算した場合の糸欠陥の除去数（／１００ｋｍ）が、糸欠陥の種類ごとに表示される。現在結果欄５６における糸欠陥の除去数（ｎ）は、除去した糸欠陥の実測数であり、現在のクリアリングリミット５２に対して糸の基準太さ側とは反対側の領域内の値を有する糸欠陥のドット数に相当する。なお、糸欠陥の除去数（ｎ）を単位時間（例えば、１時間）当たりに換算した場合の糸欠陥の除去数が現在結果欄５６に表示されてもよい。
【００３８】
処理部４２は、シミュレーション結果欄５７をタッチパネル４１に表示させる。シミュレーション結果欄５７には、暫定のクリアリングリミット５２における糸処理結果として、糸欠陥の除去数（ｎ）、及びそれを単位長さ（ここでは、１００ｋｍ）当たりに換算した場合の糸欠陥の除去数（／１００ｋｍ）が、糸欠陥の種類ごとに表示される。シミュレーション結果欄５７における糸欠陥の除去数（ｎ）は、除去した糸欠陥の実測数に基づく予測数であり、暫定のクリアリングリミット５２に対して糸の基準太さ側とは反対側の領域内の値を有する糸欠陥のドット数に相当する。なお、糸欠陥の除去数（ｎ）を単位時間（例えば、１時間）当たりに換算した場合の糸欠陥の除去数がシミュレーション結果欄５７に表示されてもよい。
【００３９】
現在結果欄５６及びシミュレーション結果欄５７において、左端の部分は、ボタン５８として構成されている。左端の部分において、Ｎ，Ｓ，Ｌ，Ｔは、それぞれ、ネップＮ、スラブＳ、ロングＬ、シンＴを示している。Ｓｕｍは、ネップＮ、スラブＳ、ロングＬ及びシンＴの合計を示している。ＹＦは、ネップＮ、スラブＳ、ロングＬ及びシンＴ以外のチャンネル（例えば、異物混入（色混入）を示すＦ、番手（糸太さ）が異なることを示すＣ等）とＳｕｍとの合計を示している。
【００４０】
処理部４２は、グラフ欄５９をタッチパネル４１に表示させる。グラフ欄５９には、現在結果欄５６における糸欠陥の除去数（／１００ｋｍ）、及びシミュレーション結果欄５７における糸欠陥の除去数（／１００ｋｍ）が、糸欠陥の種類ごとに、グラフとして表示される。なお、グラフ欄５９の表示は、現在結果欄５６における糸欠陥の除去数（ｎ）、及びシミュレーション結果欄５７における糸欠陥の除去数（ｎ）が、糸欠陥の種類ごとに、グラフとして表示されるように、切り替え可能である。
【００４１】
処理部４２によるクリアリングリミット５２の生成の一例について説明する。糸巻取機１において糸の巻き取りが開始されると、処理部４２は、例えば過去の設定等に基づいてクリアリングリミット５２を生成する。生成されたクリアリングリミット５２は、図４に示されるように、現在のクリアリングリミット５２として二次元フィールド５１に表示される。糸巻取機１では、現在のクリアリングリミット５２に基づいて糸欠陥が残存又は除去され、糸欠陥データが生成される。生成された糸欠陥データは、記憶部４３に記憶されると共に、図５に示されるように、二次元フィールド５１にドットとして表示される。このとき、現在のクリアリングリミット５２における糸処理結果が現在結果欄５６に数値として表示されると共に、現在のクリアリングリミット５２における糸処理結果がグラフ欄５９にグラフとして表示される。なお、機台制御装置４では、二次元フィールド５１がオペレータによりタッチされた際に、処理部４２が、タッチされた位置に対応する複数の設定点を通るようにクリアリングリミット５２を生成し、生成したクリアリングリミット５２をタッチパネル４１に表示させることもできる。
【００４２】
オペレータにより機台制御装置４においてクリアリングシミュレーションが開始されると、図５に示されるように、暫定のクリアリングリミット５２の設定情報がシミュレーション設定値欄５４に表示される。同時に、暫定のクリアリングリミット５２における糸処理結果がシミュレーション結果欄５７に数値として表示されると共に、暫定のクリアリングリミット５２における糸処理結果がグラフ欄５９にグラフとして表示される。この時点では、暫定のクリアリングリミット５２が現在のクリアリングリミット５２に一致しているため、現在設定値欄５３及びシミュレーション設定値欄５４の設定情報等は互いに一致している。なお、クリアリングシミュレーションは、精度向上の観点では、糸の巻取長が所定長（例えば１００ｋｍ）に達した後に、そのときの糸処理結果に基づいて実施されることが好ましい。そこで、糸の巻取長が所定長に達していない状態でクリアリングシミュレーションが開始された場合には、図４に示されるように、注意表示７１がタッチパネル４１に表示される。
【００４３】
また、クリアリングシミュレーションが開始されると、処理部４２は、糸に残存させた糸欠陥の糸欠陥データに基づいてガイドライン７５を生成する。ガイドライン７５は、図５に示されるように、白抜きの丸ドット（糸に残存させた糸欠陥に相当する）の分布形状の外縁に沿うように生成され、二次元フィールド５１に表示される。ここでは、ネップＮ、スラブＳ及びロングＬに対応するガイドライン７５ａ、並びにシンＴに対応するガイドライン７５ｂが二次元フィールド５１に表示される。なお、各ガイドライン７５ａ，７５ｂは、白抜きの丸ドットの分布密度に応じて、複数本ずつ生成され、二次元フィールド５１に表示されてもよい。
【００４４】
ここで、オペレータにより例えば設定点ＮＳＬ２がタッチ（押下、物理的接触等）されると、設定点ＮＳＬ２が移動予定の設定点として選択され、図６に示されるように、操作部６０がタッチパネル４１に表示される。なお、オペレータにより例えばＮＳＬ２のボタン５５がタッチされても、設定点ＮＳＬ２が移動予定の設定点として選択される。このように、機台制御装置４では、二次元フィールド５１及び複数のボタン５５が、複数の第１設定点（現在の設定点ＮＳＬ１〜ＮＳＬ６，Ｔ１〜Ｔ４）を通るように生成されたクリアリングリミット５２をタッチパネル４１が表示している場合に、少なくとも１つの第１設定点（現在の設定点ＮＳＬ２）の選択を受け付ける第１入力部として機能する。
【００４５】
操作部６０は、移動方向指示ボタン６１と、移動量切替ボタン６２と、表示取消ボタン６３と、を有している。移動方向指示ボタン６１は、選択された移動予定の設定点について、複数の移動方向を示し且つ移動方向の選択を受け付ける。ここでは、移動方向指示ボタン６１は、移動量切替ボタン６２の回りに４５度ごとに配置されており、時計回りに、上、右上、右、右下、下、左下、左、左上の移動方向を示している。移動量切替ボタン６２は、選択された移動予定の設定点が移動方向指示ボタン６１への１度のタッチによって移動する量（移動量）の切替を受け付ける。処理部４２は、例えば、移動量切替ボタン６２がタッチされるたびに、×１（基準値の１倍の移動量）、×１０（基準値の１０倍の移動量）、×１００（基準値の１００倍の移動量）というように、移動量を切り替える。表示取消ボタン６３は、タッチパネル４１による操作部６０の表示の取消を受け付ける。つまり、処理部４２は、移動予定の設定点の選択を受け付けた際に操作部６０をタッチパネル４１に表示させるが、表示取消ボタン６３がタッチされると、操作部６０の表示を取り消して移動予定の設定点の選択を解除する。
【００４６】
設定点ＮＳＬ２が移動予定の設定点として選択された状態で、オペレータにより、例えば左下の移動方向を示す移動方向指示ボタン６１がタッチされると、現在の設定点ＮＳＬ２の移動先として、暫定の設定点ＮＳＬ２（図６において破線で示されるクリアリングリミット５２ａ上の設定点ＮＳＬ２）が二次元フィールド５１に表示される。このように、機台制御装置４では、操作部６０が、二次元フィールド５１又は複数のボタン５５のそれぞれを介して選択された少なくとも１つの第１設定点（現在の設定点ＮＳＬ２）の移動先として少なくとも１つの第２設定点（暫定の設定点ＮＳＬ２）の入力を受け付ける第２入力部として機能する。
【００４７】
同様に、設定点ＮＳＬ３が移動予定の設定点として選択され、その状態で、オペレータにより、例えば下の移動方向を示す移動方向指示ボタン６１がタッチされると、現在の設定点ＮＳＬ３の移動先として、暫定の設定点ＮＳＬ３（図６において破線で示されるクリアリングリミット５２ａ上の設定点ＮＳＬ３）が二次元フィールド５１に表示される。同様に、設定点ＮＳＬ４が移動予定の設定点として選択され、その状態で、オペレータにより、例えば下の移動方向を示す移動方向指示ボタン６１がタッチされると、現在の設定点ＮＳＬ４の移動先として、暫定の設定点ＮＳＬ４（図６において破線で示されるクリアリングリミット５２ａ上の設定点ＮＳＬ４）が二次元フィールド５１に表示される。なお、複数の設定点ＮＳＬ２，ＮＳＬ３，ＮＳＬ４を移動予定の設定点として同時に選択し、それらの移動先として複数の暫定の設定点ＮＳＬ２，ＮＳＬ３，ＮＳＬ４を同時に設定することも可能である。その場合、複数の暫定の設定点ＮＳＬ２，ＮＳＬ３，ＮＳＬ４間の位置関係は、複数の設定点ＮＳＬ２，ＮＳＬ３，ＮＳＬ４間の位置関係を維持する。つまり、複数の設定点ＮＳＬ２，ＮＳＬ３，ＮＳＬ４を平行移動することができる。
【００４８】
複数の暫定の設定点ＮＳＬ２，ＮＳＬ３，ＮＳＬ４が設定されると、処理部４２は、現在の設定点ＮＳＬ１，ＮＳＬ５，ＮＳＬ６及び暫定の設定点ＮＳＬ２，ＮＳＬ３，ＮＳＬ４を通るように、暫定のクリアリングリミット５２（図６において破線で示されるクリアリングリミット５２ａ）を生成し、生成した暫定のクリアリングリミット５２をタッチパネル４１に表示させる。このように、処理部４２は、現在のクリアリングリミット５２に対して暫定のクリアリングリミット５２を生成した場合に、現在のクリアリングリミット５２と共に、暫定のクリアリングリミット５２をタッチパネル４１に表示させる。このとき、処理部４２は、暫定のクリアリングリミット５２における糸処理結果を算出する。算出された糸処理結果は、シミュレーション結果欄５７に数値として表示されると共に、グラフ欄５９にグラフとして表示される。
【００４９】
なお、図６に示されるように、二次元フィールド５１において現在のクリアリングリミット５２と暫定のクリアリングリミット５２とがずれている部分は、表示態様（例えば、線の種類、太さ、色等）が変えられることで、オペレータに識別可能となるように表示される。また、シミュレーション設定値欄５４及びシミュレーション結果欄５７において変更された数値は、表示態様（例えば、文字の色、文字の形状、背景色等）が変えられることで、オペレータに識別可能となるように表示される。
【００５０】
現在のクリアリングリミット５２及び暫定のクリアリングリミット５２が二次元フィールド５１に表示された状態で、タッチパネル４１に表示された確定ボタン７２がオペレータによりタッチされると、図７に示されるように、暫定のクリアリングリミット５２が新たに設定される。これにより、処理部４２は、シミュレーション設定値欄５４に表示されていた設定情報を現在設定値欄５３に反映させる。同時に、シミュレーション結果欄５７に数値として表示されていた糸処理結果を現在結果欄５６に反映させる。このとき、グラフ欄５９にグラフとして表示されていた糸処理結果は、現在結果欄５６及びシミュレーション結果欄５７に数値として表示されていた糸処理結果に追従する。
【００５１】
一方、現在のクリアリングリミット５２及び暫定のクリアリングリミット５２が二次元フィールド５１に表示された状態で、タッチパネル４１に表示されたキャンセルボタン７３がオペレータによりタッチされると、暫定のクリアリングリミット５２がキャンセルされ、現在のクリアリングリミット５２の設定が維持される。なお、操作部６０の表示取消ボタン６３がオペレータによりタッチされると、操作部６０の表示が取り消されて移動予定の設定点の選択が解除される。また、移動予定の設定点に対応するボタン５５がオペレータによりタッチされると、当該移動予定の設定点の選択が解除される。ただし、移動予定の設定点の選択が解除されるいずれの場合にも、暫定のクリアリングリミット５２まではキャンセルされない。
【００５２】
なお、処理部４２によるクリアリングリミット５２の生成の具体例は、次のとおりである。図８に示されるように、糸欠陥の長さ１．０ｃｍ及び太さ２５０％の設定点ＮＳＬ２が、糸欠陥の長さ３．０ｃｍ及び太さ２５０％の設定点ＮＳＬ２に変更された場合には、処理部４２は、糸欠陥の長さの順序で複数の設定点ＮＳＬ１〜ＮＳＬ５を結ぶことで、クリアリングリミット５２を生成する。この場合、処理部４２は、図９に示されるように、設定点ＮＳＬ１、設定点ＮＳＬ３、設定点ＮＳＬ２、設定点ＮＳＬ４、設定点ＮＳＬ５という順序で複数の設定点ＮＳＬ１〜ＮＳＬ５を結ぶことで、クリアリングリミット５２を生成する。この状態で、確定ボタン７２がオペレータによりタッチされると、図１０に示されるように、糸欠陥の長さの順序となるように複数の設定点ＮＳＬ１〜ＮＳＬ５の名称が変更される。すなわち、設定点ごとに糸欠陥の長さ及び太さを示す欄において、糸欠陥の長さの順序となるように複数の設定点ＮＳＬ１〜ＮＳＬ５の名称が変更される。ここでは、設定点ＮＳＬ２について糸欠陥の長さ３．０ｃｍ及び太さ２５０％、設定点ＮＳＬ３について糸欠陥の長さ２．０ｃｍ及び太さ１５０％との表示（図９参照）から、設定点ＮＳＬ２について糸欠陥の長さ２．０ｃｍ及び太さ１５０％、設定点ＮＳＬ３について糸欠陥の長さ３．０ｃｍ及び太さ２５０％との表示（図１０参照）に変更される。
【００５３】
図１１に示されるように、糸欠陥の長さ２．０ｃｍ及び太さ１５０％の設定点ＮＳＬ３が、糸欠陥の長さ２．０ｃｍ及び太さ５００％の設定点ＮＳＬ３に変更された場合には、処理部４２は、糸欠陥の長さの順序で複数の設定点ＮＳＬ１〜ＮＳＬ５を結ぶことで、クリアリングリミット５２を生成する。図１２に示されるように、スラブヤーンＫ１を設定した場合には、設定前にクリアリングリミット５２が通っていた設定点ＮＳＬ４を二次元フィールド５１に残存させる。
【００５４】
また、タッチによる設定点の選択の具体例は、次のとおりである。図１３の（ａ）に示されるように、クリアリングリミット５２上に複数の設定点Ａ，Ｂ，Ｃが位置している場合において、設定点Ｂがタッチされると、設定点Ｂに加え、隣り合う設定点Ａ，Ｂ間の部分及び隣り合う設定点Ｂ，Ｃ間の部分が選択される。図１３の（ｂ）に示されるように、クリアリングリミット５２上に複数の設定点Ａ，Ｂ，Ｃ，Ｄが位置している場合において、隣り合う設定点Ｂ，Ｃ間の部分がタッチされると、設定点Ｂ及び設定点Ｃに加え、隣り合う設定点Ａ，Ｂ間の部分、隣り合う設定点Ｂ，Ｃ間の部分及び隣り合う設定点Ｃ，Ｄ間の部分が選択される。
【００５５】
図１４の（ａ）に示されるように、クリアリングリミット５２に、太さが等しく且つ隣り合う設定点Ｂ，Ｃによってスラブヤーンが設定されている場合において、設定点Ｂがタッチされると、設定点Ｂに加え、隣り合う設定点Ａ，Ｂ間の部分及び隣り合う設定点Ｂ，Ｃ間の部分が選択される。この場合、設定点Ｂの長さのみを変更することができる。図１４の（ｂ）に示されるように、クリアリングリミット５２に、太さが等しく且つ隣り合う設定点Ｂ，Ｃによってスラブヤーンが設定されている場合において、隣り合う設定点Ｂ，Ｃ間の部分がタッチされると、設定点Ｂ及び設定点Ｃに加え、隣り合う設定点Ａ，Ｂ間の部分、隣り合う設定点Ｂ，Ｃ間の部分及び隣り合う設定点Ｃ，Ｄ間の部分が選択される。この場合、隣り合う設定点Ｂ，Ｃ間の距離は固定で、各設定点Ｂ，Ｃの長さ及び太さを同時に変更することができる。
【００５６】
また、機台制御装置４では、二次元フィールド５１がオペレータにより所定条件（例えば、長押し）でタッチされると、タッチされた位置に対応する点が設定点として追加される。一例として、図１５の（ａ）に示されるように、複数の設定点Ａ，Ｂを通るクリアリングリミット５２の近傍に設定点Ｃを追加することで、図１５の（ｂ）に示されるように、複数の設定点Ａ，Ｂ，Ｃを通るようにクリアリングリミット５２を変更することができる。すなわち、糸欠陥の長さが隣り合う設定点Ａ，Ｂ間の値となる領域において、任意の位置が所定条件でタッチされると、タッチされた位置に新しい設定点Ｃが追加され、糸欠陥の長さの順序で各設定点Ａ，Ｂ，Ｃが結ばれて、クリアリングリミット５２が変更される。このように、二次元フィールド５１は、複数の第１設定点（複数の設定点Ａ，Ｂ）を通るように生成されたクリアリングリミット５２をタッチパネル４１が表示している場合に、少なくとも１つの第３設定点（設定点Ｃ）の追加を受け付ける第３入力部として機能する。このとき、処理部４２は、複数の第１設定点、及び第３入力部を介して追加された少なくとも１つの第３設定点を通るように、クリアリングリミット５２を生成し、生成したクリアリングリミット５２をタッチパネル４１に表示させる。
【００５７】
また、機台制御装置４では、クリアリングリミット５２上の設定点がオペレータにより所定条件（例えば、長押し）でタッチされると、当該設定点が削除される。削除予定の設定点に対応するボタン５５がオペレータにより所定条件（例えば、長押し）でタッチされても、当該設定点が削除される。一例として、図１５の（ｂ）に示されるように、複数の設定点Ａ，Ｂ，Ｃを通るクリアリングリミット５２から設定点Ｃを削除することで、図１５の（ａ）に示されるように、複数の設定点Ａ，Ｂを通るようにクリアリングリミット５２を変更することができる。このように、二次元フィールド５１及び複数のボタン５５は、複数の第１設定点（複数の設定点Ａ，Ｂ，Ｃ）を通るように生成されたクリアリングリミット５２をタッチパネル４１が表示している場合に、少なくとも１つの第１設定点（設定点Ｃ）の削除を受け付ける第４入力部として機能する。このとき、処理部４２は、二次元フィールド５１又は複数のボタン５５のそれぞれを介して削除された少なくとも１つの第１設定点（設定点Ｃ）を除く第１設定点（複数の設定点Ａ，Ｂ）を通るように、クリアリングリミット５２を生成し、生成したクリアリングリミット５２をタッチパネル４１に表示させる。
【００５８】
また、機台制御装置４では、糸の巻き取りが開始された後、所定量の糸欠陥データが記憶部４３に記憶された場合に、当該所定量の糸欠陥データにおける二次元フィールド５１上での分布状態に基づいて、処理部４２がクリアリングリミット５２を自動で生成することもできる。この機能は、タッチパネル４１に表示される自動生成ボタン７４（図４参照）がオペレータによりタッチされると、実施される。
【００５９】
以上説明したように、機台制御装置４では、タッチパネル４１が、二次元フィールド５１にクリアリングリミット５２を表示し、処理部４２が、クリアリングリミット５２が通る複数の第１設定点（例えば、複数の設定点ＮＳＬ１〜ＮＳＬ６，Ｔ１〜Ｔ４）のうち少なくとも１つの第１設定点が選択され、選択された少なくとも１つの第１設定点の移動先として少なくとも１つの第２設定点（例えば、複数の設定点ＮＳＬ２〜ＮＳＬ４）が入力された場合に、選択された少なくとも１つの第１設定点を除く第１設定点、及び入力された少なくとも１つの第２設定点を通るように、クリアリングリミット５２を生成し、生成したクリアリングリミット５２をタッチパネル４１に表示させる（図６参照）。このように、機台制御装置４では、クリアリングリミット５２が通る複数の第１設定点のうち少なくとも１つの第１設定点を選択し、選択した少なくとも１つの第１設定点の移動先として少なくとも１つの第２設定点を入力することで、入力された少なくとも１つの第２設定点を通るクリアリングリミット５２（ここでは、選択された少なくとも１つの第１設定点を除く第１設定点を通り且つ入力された少なくとも１つの第２設定点を通るクリアリングリミット５２）を生成することが可能である。よって、機台制御装置４によれば、クリアリングリミット５２を容易に且つ適切に設定することができる。なお、機台制御装置４では、タッチパネル４１が、二次元フィールド５１にクリアリングリミット５２を表示し、処理部４２が、二次元フィールド５１がタッチされた際に、タッチされた位置に対応する点を第１設定点（例えば、複数の設定点ＮＳＬ１〜ＮＳＬ６，Ｔ１〜Ｔ４）として、第１設定点を通るようにクリアリングリミット５２を生成し、生成したクリアリングリミット５２をタッチパネル４１に表示させるので（図４参照）、表示されている二次元フィールド５１へのタッチという直感的な操作によって、クリアリングリミット５２の生成が可能となっている。
【００６０】
機台制御装置４では、処理部４２が、複数の第１設定点（例えば、複数の設定点ＮＳＬ１〜ＮＳＬ６，Ｔ１〜Ｔ４）、及び複数の第１設定点を通るクリアリングリミット５２、並びに、少なくとも１つの第２設定点（例えば、複数の設定点ＮＳＬ２〜ＮＳＬ４）、及び少なくとも１つの第２設定点を通るクリアリングリミット５２をタッチパネル４１に表示させる（図４参照）。これにより、オペレータは、クリアリングリミット５２の生成の基礎となっている第１設定点及び第２設定点を容易に把握することができる。
【００６１】
機台制御装置４では、第１入力部（二次元フィールド５１又は複数のボタン５５のそれぞれ）が、少なくとも１つの第１設定点の選択を受け付け、第２入力部（操作部６０）が、少なくとも１つの第２設定点の入力を受け付ける。これにより、オペレータは、クリアリングリミット５２をより容易に且つより適切に設定することができる。第１入力部が二次元フィールド５１である場合、オペレータは、変更すべき第１設定点を容易に選択することができる。第１入力部が複数のボタン５５である場合、オペレータは、例えばクリアリングリミット５２が細かく表示されている部分についても、変更すべき第１設定点を容易に選択することができる。第２入力部が操作部６０である場合、オペレータは、変更すべき第１設定点に対する第２設定点の移動方向を直観的に把握して操作部６０を操作することができる。なお、第１入力部（二次元フィールド５１又は複数のボタン５５のそれぞれ）が、全ての第１設定点の選択を受け付け、第２入力部（操作部６０）が、第１入力部を介して選択された全ての第１設定点の移動先として全ての第２設定点の入力を受け付けることも可能である。これにより、オペレータは、クリアリングリミット５２を全体的に変更することができる。全ての第１設定点の選択は、例えば、全ての第１設定点の選択を受け付けるボタンが設けられることで、実現されてもよい。
【００６２】
機台制御装置４では、複数の第１設定点（例えば、複数の設定点Ａ，Ｂ）を通るクリアリングリミット５２をタッチパネル４１が表示している場合に、第３入力部（二次元フィールド５１）が、少なくとも１つの第３設定点（例えば、設定点Ｃ）の追加を受け付ける（図１５の（ａ）参照）。そして、処理部４２が、複数の第１設定点、及び第３入力部を介して追加された少なくとも１つの第３設定点を通るように、クリアリングリミット５２を生成し、生成したクリアリングリミット５２をタッチパネル４１に表示させる（図１５の（ｂ）参照）。これにより、オペレータは、クリアリングリミット５２を部分的に変更することができる。第３入力部が二次元フィールド５１である場合、オペレータは、追加すべき第３設定点を容易に入力することができる。
【００６３】
機台制御装置４では、複数の第１設定点（例えば、複数の設定点Ａ，Ｂ，Ｃ）を通るクリアリングリミット５２をタッチパネル４１が表示している場合に、第４入力部（二次元フィールド５１又は複数のボタン５５のそれぞれ）が、少なくとも１つの第１設定点（例えば、設定点Ｃ）の削除を受け付ける（図１５の（ｂ）参照）。そして、処理部４２が、第４入力部を介して削除された少なくとも１つの第１設定点を除く第１設定点を通るように、クリアリングリミット５２を生成し、生成したクリアリングリミット５２をタッチパネル４１に表示させる（図１５の（ａ）参照）。これにより、オペレータは、クリアリングリミット５２を部分的に変更することができる。第４入力部が二次元フィールド５１である場合、オペレータは、削除すべき第１設定点を容易に選択することができる。第４入力部が複数のボタン５５である場合、オペレータは、例えばクリアリングリミット５２が細かく表示されている部分についても、削除すべき第１設定点を容易に選択することができる。
【００６４】
機台制御装置４では、処理部４２が、現在のクリアリングリミット５２に対して暫定のクリアリングリミット５２を生成した場合に、現在のクリアリングリミット５２と共に、暫定のクリアリングリミット５２をタッチパネル４１に表示させる。これにより、オペレータは、現在のクリアリングリミット５２と暫定のクリアリングリミット５２とを比較することができる。
【００６５】
機台制御装置４では、処理部４２が、現在のクリアリングリミット５２に対して暫定のクリアリングリミット５２を生成した場合に、記憶部４３に記憶された糸欠陥データ、及び現在のクリアリングリミット５２に基づいて、第１糸処理結果を算出すると共に、記憶部４３に記憶された糸欠陥データ、及び暫定のクリアリングリミット５２に基づいて、第２糸処理結果を算出する。そして、処理部４２が、算出した第１糸処理結果及び第２糸処理結果をタッチパネル４１に表示させる。これにより、オペレータは、第１糸処理結果と第２糸処理結果とを比較して、現在のクリアリングリミット５２、及び暫定のクリアリングリミット５２のそれぞれを評価することができる。
【００６６】
機台制御装置４では、処理部４２が、記憶部４３に記憶された糸欠陥データに基づいてガイドライン７５を生成し、複数の糸欠陥に対応するドットと共に、生成したガイドライン７５をタッチパネル４１に表示させる。これにより、オペレータは、ガイドライン７５を参照しつつ、二次元フィールド５１をタッチして第１設定点を入力することができる。
【００６７】
糸巻取機１は、糸を供給する給糸部２１と、糸を巻き取ってパッケージを形成する巻取部２４と、給糸部２１と巻取部２４との間において糸を監視し、糸欠陥を検出する糸監視部２２と、糸監視部２２によって検出された糸欠陥を除去するために糸が切断された場合に、給糸部２１側の糸と巻取部２４側の糸とを継ぐ糸継動作を行う糸継部２３と、機台制御装置４と、を備える。糸巻取機１は、上述した機台制御装置４を備えているので、糸欠陥の除去を適切に実施することができる。
【００６８】
以上、本発明の一実施形態について説明したが、本発明は、上記実施形態に限定されない。例えば、クリアリングリミット５２は、隣り合う設定点同士が直線で結ばれることで構成されるだけでなく、隣り合う設定点同士が曲線又はステップ状の線等で結ばれることで構成されてもよい。また、シミュレーション設定値欄５４に設定情報が入力されることで、暫定のクリアリングリミット５２が生成されてもよい。
【００６９】
本実施形態によれば、クリアリングリミット５２及び糸欠陥分布が表示されるタッチパネル４１の二次元フィールド５１を直接タッチし、クリアリングリミット５２が通る設定点（第１設定点、第２設定点、第３設定点）の新規指定、変更、追加、又は削除をすることができ、クリアリングリミット５２を直感的に設定又は変更することができる。
【００７０】
また、上記実施形態では、糸巻取機１の機台制御装置４がクリアリングリミット設定装置として機能したが、例えば、糸巻取機１から離れた管理装置等がクリアリングリミット設定装置として機能してもよい。また、糸巻取機１の機台端部に、機台制御装置４に並んで、糸監視部２２専用のクリアリングリミット設定装置が設けられてもよい。
【００７１】
また、処理部４２は、糸監視部２２の制御装置２２ｂから糸欠陥データを取得することに加えて、糸監視部２２の検出装置２２ａから出力された波形データも取得してもよい。或いは、処理部４２は、糸監視部２２の制御装置２２ｂから糸欠陥データを取得せずに、糸監視部２２の検出装置２２ａから出力された波形データのみを取得してもよい。この場合、処理部４２は、取得した波形データから糸欠陥データを算出することができる。
【００７２】
また、上記実施形態では、タッチパネル４１にグラフ欄５９が表示されたが、タッチパネル４１等の表示部にグラフ欄５９が表示されない構成であってもよい。また、現在結果欄５６及びシミュレーション結果欄５７が表示部に表示されない構成であってもよい。また、現在設定値欄５３及びシミュレーション設定値欄５４が表示部に表示されない構成であってもよい。
【符号の説明】
【００７３】
１…糸巻取機、４…機台制御装置（クリアリングリミット設定装置）、２１…給糸部、２２…糸監視部、２３…糸継部、２４…巻取部、４１…タッチパネル（表示部）、４２…処理部、４３…記憶部、５１…二次元フィールド、５２，５２ａ，５２ｂ…クリアリングリミット、５５…ボタン、６０…操作部、６１…移動方向指示ボタン、７５，７５ａ，７５ｂ…ガイドライン。
【図１】
2019137537.tif 000003
【図２】
2019137537.tif 000004
【図３】
2019137537.tif 000005
【図４】
2019137537.tif 000006
【図５】
2019137537.tif 000007
【図６】
2019137537.tif 000008
【図７】
2019137537.tif 000009
【図８】
2019137537.tif 000010
【図９】
2019137537.tif 000011
【図１０】
2019137537.tif 000012
【図１１】
2019137537.tif 000013
【図１２】
2019137537.tif 000014
【図１３】
2019137537.tif 000015
【図１４】
2019137537.tif 000016
【図１５】
2019137537.tif 000017